(57)【要約】【課題】  盲人等の歩行者に対し、その位置等に関する通報を確実に行うこと。【解決手段】  路面又は歩行者用携帯物の一方にＩＣタグの如き被識別手段を、他方に該被識別手段を識別するタグリーダの如き識別手段をそれぞれ設けると共に、上記識別手段の識別結果に応じて音又は振動を発生する通報手段を設け、該通報手段が発する音又は振動によって歩行者に対しその位置等に関する通報を行う。【選択図】  図３
2005032205.tif 000002
【特許請求の範囲】
【請求項１】
路面又は歩行者用携帯物の一方に被識別手段を、他方に該被識別手段を識別する識別手段をそれぞれ設けると共に、上記識別手段の識別結果に応じて音又は振動を発生する通報手段を設けたことを特徴とする歩行者用通報装置。
【請求項２】
路面又は歩行者の靴の一方に被識別手段を、他方に該被識別手段を識別する識別手段をそれぞれ設けると共に、上記識別手段の識別結果に応じて音又は振動を発生する通報手段を設けたことを特徴とする歩行者用通報装置。
【請求項３】
路面に歩行者の足裏に対し振動を伝達する通報手段を敷設したことを特徴とする歩行者用通報装置。
【発明の詳細な説明】
【発明の詳細な説明】
【産業上の利用分野】
【０００１】  本発明は、駅のプラットホームや通路、階段等において、路面上の人間に注意を与え、又は情報を与えるための装置に関する。
【背景技術】
【０００２】  駅のプラットホー厶等においては、人間の線路上への落下を防止するため、白又は黄色等で着色されたシート又はブロックからなる標示用の踏み板が、プラットホームの端部に沿って長く敷設されている。特に盲人用のものにあっては、その上面に凹凸を有する点字ブロックが形成されており、足裏でこの凹凸を感知することによりその位置を判断することができる。同様のものは階段や廊下等にも敷設され、盲人を案内するために活用されている。【０００３】  このような標示用踏み板、又はそれに類似する技術としては、例えば下記の文献に示される技術がある。【０００４】
【特許文献１】          特開昭５５−９２４１０号公報
【０００５】
【特許文献２】          特開２０００−２２６８１８号公報
【発明が解決しようとする課題】
【０００６】  上記したようにこれら従来の技術は、人間即ち歩行者が足裏でこの凹凸を感知するものであるため、その感知又は判断が必ずしも容易ではないという問題があった。本発明はこのような問題に着目し、その解決を図ることを目的とするものである。
【課題を解決するための手段】
【０００７】  上記目的を達成するため、第１の発明として、路面又は歩行者用携帯物の一方に被識別手段を、他方に該被識別手段を識別する識別手段をそれぞれ設けると共に、上記識別手段の識別結果に応じて音又は振動を発生する通報手段を設けたことを特徴とする歩行者用通報装置を提供する。
【０００８】    また第２の発明として、路面又は歩行者の靴の一方に被識別手段を、他方に該被識別手段を識別する識別手段をそれぞれ設けると共に、上記識別手段の識別結果に応じて音又は振動を発生する通報手段を設けたことを特徴とする歩行者用通報装置を提供する。
【０００９】    また第３の発明として、路面に歩行者の足裏に対し振動を伝達する通報手段を敷設したことを特徴とする歩行者用通報装置を提供する。
【００１０】  本発明において、被識別手段とは例えばＩＣタグであり、又はその他の電磁発信器等のように、その存在を電気的又は磁気的手段を用いて検出できるものであれば採用可能である。また識別手段とは上記被識別手段の存在を接触又は非接触で検出できる装置のことであり、例えばＩＣタグを非接触で読み取るためのタグリーダである。被識別手段及び識別手段は、その相互作用により被識別手段を固体別に、即ちそのひとつひとつを種類別に識別できるものが応用範囲を広げるうえで好ましいが、被識別手段の存在又は有無を単純に検出できるものであっても良い。
【００１１】  また音を発生する通報手段とは、音を発生し得るものであれば何でも良く、例えば金属同士の衝突音、ブザー音、笛の音などを発生させるものをいう。更にこのような音による通報手段はこれらの単純な意味での音に留まらず、人間の音声等を発生させ得る電気的なスピーカ等の手段をも含むものであり、従ってこの第１及び第２の発明における音とは音声や音楽等をも包含するものである。音声の場合は「あぶないですよ」という単に危険を通報するものでも良く、「階段があります」というようにその場所の特徴を通報するものでも良く、あるいは「右へ行くと○○方面です。左へ行くと△△方面です」というように道案内を行うものであっても良い。更に、これらの音声を上記被識別手段又は識別手段の路面への設置位置に応じて、各種のものを組合わせて用いるようにしても良い。また更に、第１及び第２の発明を交通信号のある横断歩道手前位置に設置するときは、該信号の変化に応じて、例えば信号が赤のときは「信号が赤です。渡ってはいけません」の音声を流し、信号が青のときは「信号が青です。渡っても大丈夫です」の音声を流すように、上記信号の色の変化に連動させて変えるようにしても良い。例えば上記横断歩道が２つの道路の交差点に設けられている場合は、歩行者が横断する方向に応じて２種の被識別手段を設置し、更に該交差点に上記交通信号の色の変化を示す情報を発信する装置を設け、かつ上記通報手段が上記被識別手段と色の変化を示す情報とに応じて異なる種類の通報を行うにしておけば、盲人にとって極めて有用なものとなり得る。
【００１２】  振動を発する通報手段とは例えば携帯電話等に広く用いられている公知のバイブレータであり、電気的又は機械的な方法で振動を発生できるものであれば何でも良い。振動発生手段が発生させる振動は歩行者が感知し得るものであれば良いが、その振動を上記被識別手段又は識別手段の路面への設置位置に応じて、振動の種類を変えるようにしても良い。即ち被識別手段又は識別手段が路面に直線状に設置されている部分では比較的小さな振幅の振動を発生し、歩行者が一端停止すべき場所では比較的大きな振幅の振動を発生して歩行者に注意を促すようにしても良い。この振動を発する通報手段を路面に敷設又は埋設した場合は、歩行者はその足裏から受ける振動によって、その地点がどのような場所であるかを確認できる。またこの振動を発する通報手段を上記のような携帯電話として実現した場合は、歩行者はその携帯電話から受ける振動によって、その地点がどのような場所であるかを確認できる。なお請求項３に係る発明すなわち第３の発明においては、被識別手段及び識別手段を共に設けず、単に通報手段が振動を発生するようにするものを含んでいる。この場合の通報手段は歩行者が該通報手段に接近すればそれを適当なセンサで検出して振動を発するようにしても良く、あるいは歩行者の有無に関係なく常時振動を発するようにしても良い。あるいは上記被識別手段及び識別手段を共に設け、該識別手段が歩行者の有する被識別手段を検出したときのみ振動を発するようにしても良い。何れの場合も、この振動による通報手段は音でなく振動によって歩行者に通報を行うため、周囲の騒音に邪魔されずに情報を伝えることができるという利点があり、また周囲に音による迷惑を及ぼさないという利点がある。またこのような振動を発生する通報手段を路面に設けた場合、振動によって該路面又は該路面に敷設したブロックが振動するため、従来の点字ブロックのような表面の凹凸は必要でなく、従って車椅子などの通行に障害とならない利点もある。
【００１３】  更に本発明における携帯物とは、歩行者が容易に携帯できる物であれば何でも良く、例えば携帯電話や携帯端末装置の如くである。携帯物に前記識別手段を設ける場合は、通常「マナーモード」等と称される着信時の振動機能を有する携帯電話を利用し、この携帯電話により上記識別手段と上記通報手段とを兼用するようにすることもできる。勿論、識別手段と通報手段とを互いに異なる部材とし、携帯電話を通報手段のみに使用するようにしても良い。何れの場合にも、携帯電話を通報手段として使用すれば、識別手段が被識別手段を識別又は検出したとき、該形態電話が振動し又は着信音を発して歩行者に被識別手段の存在を通報できるうえ、歩行者に対し前記したように音声によるメッセージを伝えることができる利点がある。携帯物に前記被識別手段を設ける場合は、該被識別手段が通常比較的小さなもので済むため、上記携帯物は歩行者の衣服に固定するための単なるクリップであっても良く、あるいは単なるプレート、シート、箱などで構成し、歩行者の衣服や靴などに装着して携帯できるようにしても良い。
【００１４】  識別手段と通報手段との間は無線又は有線により電気的に接続される。従って、識別手段と通報手段とは互いに一体的に構成されるか、あるいは比較的近い位置に設けられるのが信号を伝達するうえで容易であり、好ましい。また、上記被識別手段，識別手段又は通報手段に駆動用の電源が必要な場合は、例えば商用電源を用いても良く、あるいは太陽電池、交換用バッテリ等を用いても良い。
【００１５】  上記被識別手段又は識別手段を設ける路面位置は適当に定めて良いが、例えば横断歩道の手前、階段の手前、交差点、建物の入口など、歩行者の安全を確保するうえで必要な位置や、歩行者が目的地に到達するうえでポイントとなり得る位置に設けるのが効果的である。また上記被識別手段又は識別手段を設ける路面位置は必ずしも点状でなく、これを線状に並べて設けても良い。即ち駅のプラットホームなどでは歩行者の落下や電車との干渉を防止するため、該ホームに沿って長く連続的に設けるのが好ましい。通常の道路や廊下等でも、連続的に設けることにより歩行者の案内をより一層確実に行うことができる。従ってこれらの路面への設置は、歩行者を案内するために路面上に敷設されている点字ブロックと一体に、該ブロックの内部又は底部に設けるのが効果的である。なお必要な場合は路面に穴又は溝を形成し、その中にこれら被識別手段又は識別手段を設置する。通報手段についても、これらと同様に点状又は線状に設けることができる。
【００１６】  このような本発明において、例えば道路や駅のプラットホーム等における路面の所定位置にＩＣタグを敷設しておき、歩行者が有するマナーモード付きの携帯電話に該ＩＣタグを検出できるタグリーダを付設しておく。またこのＩＣタグには上記タグリーダに対し所定の音声信号を与えるようにし、外携帯電話がこの音声信号に対し通常の電話着信時と同じ処理を行うように設定しておく。歩行者が上記タグを敷設した場所に立てば、上記タグリーダが路面のＩＣタグを検出して上記携帯電話に着信処理を行わせ、歩行者に対し「昇り階段があります」のような音声の情報を伝える。
【００１７】  第２の発明は、第１の発明に比べ、被識別手段又は識別手段を歩行者の携帯物でなく靴に設けたものである。例えば歩行者の靴又は靴の中敷等にＩＣタグを貼付又は組み込んでおき、道路や駅のプラットホーム等における路面の所定位置に該ＩＣタグを検出できるタグリーダと該タグリーダの検出結果に応じて振動を発生する振動発生器とを敷設しておく。歩行者が上記タグリーダを敷設した場所の上に立てば、該タグリーダが歩行者の靴内のＩＣタグを検出して上記振動発生器を駆動する。該振動発生器により発生する振動は歩行者の靴底から該歩行者の足裏に振動を伝達し、これにより該歩行者はその場所がどこであるかを判断することができる。この第１の発明によれば、歩行者に対し振動によって情報を伝えるため、騒音の激しい場所でも確実に効果を奏することができる。
【００１８】  上記とは逆に、歩行者の靴又は靴の中敷等にタグリーダと振動発生器とを共に組み込んでおき、路面の所定位置に上記タグリーダにより識別可能なＩＣタグを敷設するようにしても良い。また振動発生器に代えて音発生器を設け、所定の音又は音声を発するようにしても良い。
【００１９】  従って上記第２の発明における靴とは靴の中敷等をも含む意味であり、被識別手段又は識別手段の一方はこの靴の底面、内部に貼付け又は組み込む、あるいは靴の中敷に貼付け又は組み込む、更に靴と中敷との間に挟み込む、などのやり方により設けられる。第２の発明における通報手段は、歩行者の足にその振動を伝達し得るように設けられておれば良い。従って上記したように靴又は靴の中敷に組み込まれていても良く、あるいは路面上に敷設され又は路面の中の比較的浅い場所に埋設されていても良い。該通報手段は識別手段と同じ側、即ち識別手段が靴に設けられた場合は靴に、識別手段が路面に設けられた場合は路面に、それぞれ設けられるのが、識別手段から通報手段への回路を構成するうえで容易である。
【発明を実施するための最良の形態】
【００２０】  以下、本発明の実施の形態について、実施例を通じて詳細に説明する。
【実施例】
【００２１】  図１乃至図５は本発明に係る第１の実施形態を示している。【００２２】  図１は本実施形態を駅のプラットホームに適用した例を示す平面図であり、１は該駅の通路やプラットホームなどの歩行者用通路に沿って多数敷設された四角形のブロックである。該ブロック１は、駅の改札口からプラットホームに至る廊下２に沿って敷設されたブロック列１ａと、プラットホーム３の端部４に沿って敷設されたブロック列１ｂとからなり、全体が略Ｔ字形に配設されている。また上記各ブロック１は、上記廊下２の出口位置に配設された特定のブロック１Ａと、両ブロック列１ａ，１ｂの交差位置に配設された特定のブロック１Ｂと、これら特定のブロック１Ａ，１Ｂ以外のブロック１Ｃとから形成されている。なお、５は電車が通過する線路、６は廊下２の壁である。【００２３】  図２は上記した特定のブロック１Ａ，１Ｂの断面構造を示す図である。上記した特定のブロック１Ａ，１Ｂは、上記通路の路面７に敷設されたタグリーダ８と振動発生器９、更に該タグリーダ８及び振動発生器９の上面に配設された薄く扁平な金属製又は樹脂製のプレート１０とからなる。上記タグリーダ８は後述するＩＣタグを検出又は識別して電気信号を発するものであり、各ブロック１のそれぞれについてその略中央に配置されている。また振動発生器９は、その上面のプレート１０を常に上下に振動させるようになっている。上記プレート１０はこれらタグリーダ８及び振動発生器９の上面を覆う形で路面７と同一高さとなるように埋設固定されていて、その上面は凹凸のないフラットな形状となっている。なお、その他のブロック１Ｃには上記タグリーダ８が設けられておらず、振動発生器９とプレート１０のみが設けられている。【００２４】  図３は上記ブロック１Ａ，１Ｂの周囲を模式的に示す断面図である。１１は歩行者Ｐが携帯する携帯物であり、該携帯物１１には上記したＩＣタグ１２が付設されている。このＩＣタグ１２は複数種準備されており、歩行者Ｐが盲人である場合は盲人であることを示す情報が含まれたＩＣタグを、歩行者Ｐがアメリカ人である場合はアメリカ人であることを示す情報が含まれたＩＣタグを、それぞれ上記携帯物に付設するものとする。１３は上記各タグリーダ８にそれぞれ接続されたマイクロコンピュータおよびその周辺装置を含む制御装置であり、１４は上記ブロック１Ａ，１Ｂの上方位置の天井面に下向きに設置された駆動装置を含むスピーカである。上記スピーカ１４は多数のブロック１のうち、特定のブロック１Ａ，１Ｂの直上位置にのみ設けられ、その他のブロック１Ｃの上には設置されていない。【００２５】  図４は本実施形態に係る電気装置のブロック図である。より詳しくいえば、上記した特定のブロック１Ａ，１Ｂに関する電気装置のブロック図である。上記ＩＣタグ１２がタグリーダ８に接近すると、該タグリーダ８は上記タグの存在を検出すると共に該タグに含まれる情報を上記制御装置１３に送る。このタグ情報を受けた制御装置１３は該情報を読み取り、これに対応する音声信号を選択抽出して上記スピーカ１４に送信する。上記制御装置１３は各位置に設けられたタグリーダ８とそれぞれ接続されており、また各位置に設けられたスピーカ１４と接続��れていて、上記タグ情報の内容に応じて音声信号を送信すべきスピーカ１４を選択する。【００２６】  次に、このような第１の実施形態の作用について説明する。前述したように、各ブロック１のプレート１０は常に振動を生じているため、歩行者Ｐはこの振動を靴底を介して感知できる。従って、前記廊下２を歩く歩行者Ｐは該振動によって、ブロック１ａに沿って正確に歩行できる。盲人である歩行者Ｐが第１の特定のブロック１Ａの上に達したとき、該ブロック１Ａ内のタグリーダ８が該歩行者が携帯する携帯物１１のＩＣタグ１２を検出し、該ＩＣタグ１２に含まれている情報を前記制御装置１３に送信する。制御装置１３は送信された情報がブロック１Ａからのものであることを判別すると共に、該情報を解読して上記歩行者Ｐが日本人でかつ盲人であることを識別し、制御装置１３内のメモリに予め記憶されている複数のメッセージから、適切な音声信号を選択抽出する。次いで制御装置１３は、複数のスピーカ１４の中から、音声信号を送信すべきスピーカを選択し、該スピーカに音声信号を送信する。その結果例えば、ブロック１Ａ上に配置されたスピーカ１４から「プラットホームに着きました。足元の振動を確認しながら前へ４メートルほどお進みください。あと５メートルほどで線路になりますので、お気を付けください」とのメッセージが流される。歩行者Ｐがメッセージの通り４メートル進めば前記した他方の特定のブロック１Ｂに到達し、該歩行者Ｐがこのブロック１Ｂ上に立てば、あるいは接近すれば該ブロック１Ｂ上のスピーカ１４から、上記ブロック１Ａで説明したと同様の手順で、メッセージが「ここはプラットホームの端の位置になります。あと１メートルで線路の位置になります。電車にお乗りになるのであれば、電車が来るまで今の位置でお待ちください。なお、右へ進めば○○線、左へ進めば○○線に乗り換えることができます」のように流れる。上記歩行者がアメリカ人の場合、制御装置１３はそのＩＣタグの情報によって、該歩行者Ｐがアメリカ人であることを識別し、制御装置１３内のメモリに予め記憶されている複数のメッセージから、英語の音声信号を選択抽出し、上記スピーカ１４から英語で案内のメッセージを流す。図４のブロック図及び図５のフローチャートは歩行者Ｐがブロック１Ｂの上に立ったときを説明するためのものである。図５において、制御装置１３はステップＳ１でＩＣタグ１２を確認識別し、タグ８の存在が確認されれば次のステップＳ２でブロック１の種類または位置を確認する。次いでステップＳ３で上記歩行者に応じた音声信号が選択され、ステップＳ４でスピーカが選択される。更にステップＳ５で該スピーカに音声信号が送信される。【００２７】  図６は第２の実施形態を示している。この第２の実施形態では、、歩行者Ｐは携帯物１１として、携帯電話または携帯用の音声発生器２１を有している。また前記した特定のブロック１Ａ，１Ｂ上には、前記第１の実施形態のスピーカ１４に代わるアンテナ２４が設置されている。これら以外は第１の実施形態と同じであるため、その構成の詳細説明は省略する。なお図６において、第１の実施形態と同じ手段には同一の符号を付してある。【００２８】  この第２の実施形態において、��行者が特定のブロック１Ａ，１Ｂの上に立てば、その携帯電話または携帯用音発生器２１に付設したＩＣタグ１２がブロック１Ａ，１Ｂ内のタグリーダ８によって検出され、第１の実施形態の場合と同様にして、前記制御装置１３を介して上記アンテナ２４に音声信号が送信される。このアンテナ２４は該音声信号を電波として発信し、これを歩行者の上記携帯電話または携帯用の音声発生器２１が受信して、第１の実施形態と同様の音声メッセージを発する。【００２９】  また図７は第３の実施形態を示している。この実施形態では、前記した第１及び第２の実施形態に比べ、前記特定のブロック１Ａ，１Ｂにおいて、タグリーダではなくＩＣタグ３８がプレート１０の下に設置されており、歩行者ＰはこのＩＣタグ３８を検出識別できるタグリーダ３２をその携帯物３１に付設して有している。またプレート１０の下には第１及び第２の実施形態と同様の振動発生器３９が設置されている。更に、この第３の実施形態では、第１及び第２の実施形態のような制御装置１３やスピーカ１４及びアンテナ２４は備えておらず、その代わり、上記携帯物３１がブザーなどの音発生器としての機能を備えている。【００３０】  この第３の実施形態において、歩行者が特定のブロック１Ａ，１Ｂの上に立てば、該ブロックの下のＩＣタグ３８が歩行者が有するタグリーダ３２によって検出され、これに応じて上記携帯物３１の音発生器が所定の音または音声、音楽などを発する仕組みとなっている。【００３１】  更に図８は第４の実施形態を示している。この実施形態は、前記第１及び第２の実施形態に比べ、歩行者Ｐが有する携帯物として、該歩行者Ｐが履いている靴４１が選定されており、その中にＩＣタグ４２が設置されている。このＩＣタグ４２は上記靴４１の中敷５１に穴を設け、この穴の中に配置されたうえで該中敷５１に貼り付け固定されている。こうすることにより、該ＩＣタグ４２とこれを読取るために路面内に設置されたタグリーダ８との距離が十分に接近するため、確実な検出又は識別が可能となる。【００３２】  本実施形態において、路面７には穴又は溝５２が形成されており、該穴５２の底面に樹脂製のシート５３が敷設され、このシート５３上にタグリーダ８及び振動発生器５４が設置され、更にその上に、上面が路面と同一高さとなるようプレート１０が配設されている。該プレート１０は上記振動発生器５４の上面に固定されており、また該プレート１０と上記シート５３との間には振動発生器５４による振動を妨げずにプレート１０を支持するためのゴム、スポンジ又はスプリング等からなる弾性体５５が設けられている。５６は靴４１を履いた歩行者の足を示している。この第４の実施形態において、歩行者がプレート１０の上に立ち、あるいはその近傍に接近すれば、タグリーダ８が靴４１内のＩＣタグ４２を検出し、振動発生器５４が振動を発して上記歩行者に通報する。【００３３】  上記第４の実施形態の場合において、振動発生器５４に代えて音発生器を設けても良い。またこの音発生器を路面に設置せず、第４の実施形態の図３で説明したように天井や壁などに設けるようにすることもできる。またこの第４の実施形態の場合においても、路面の側にＩＣタグを設置し、歩行者の靴���上記ＩＣタグを検出するタグリーダと該タグリーダが上記ＩＣタグを検出したときに振動する振動発生器、又は音や音声を発する音声発生器を設けるようにしても良い。これらのＩＣタグ，タグリーダ，振動発生器又は音声発生器を靴に設ける場合は、該靴の例えばかかとの内部に埋め込むようにしても良く、中敷と靴との間に設けても良い。更に歩行者の靴にタグリーダのみを設け、振動発生器又は音声発生器を別の携帯物に設けるようにしても良い。【００３４】  本発明は、特許請求の範囲に記載した通り、次のような形態を含むものである。【００３５】  （１）歩行者の携帯物又は靴に被識別手段を、路面に該被識別手段を識別する識別手段と該識別手段の識別結果に応じて音又は振動を発生する通報手段とをそれぞれ設けた歩行者用通報装置。【００３６】  （２）歩行者の携帯物又は靴に識別手段を、路面に該識別手段により識別される被識別手段をそれぞれ設けると共に、上記靴に上記識別手段の識別結果に応じて音又は振動を発生する通報手段を設けた歩行者用通報装置。なおこの場合、路面に上記識別手段を設ける必要がないため、路面への設置工事が比較的安価になるという利点がある。【００３７】  （３）識別手段がＩＣタグであり、上記被識別手段が該ＩＣタグを識別するタグリーダである歩行者用通報装置。【００３８】  （４）被識別手段又は識別手段を設ける路面上の位置が、盲人又は弱視者を案内するために該路面に設置されたブロック，シート又はプレートと同位置であり、上記被識別手段又は識別手段が上記ブロック，シート又はプレートの下位に設置されている歩行者用通報装置。【００３９】  （５）振動を発生する通報手段が路面に設けられ、該通報手段が設けられる路面上の位置に応じて、通報手段の発生する振動が異なるものとなるように、複数種の通報手段を配置している歩行者用通報装置。【００４０】  （６）被識別手段又は識別手段を設ける路面上の位置に応じて、音を発生する通報手段の発生する音が異なるものとなるように設定されている歩行者用通報装置。【００４１】  （７）被識別手段又は識別手段を設ける路面上の位置が信号のある交差点手前位置であり、音を発生する通報手段が上記信号の変化に応じた内容の音を発生するものである歩行者用通報装置。【００４２】  （８）振動を発生する通報手段が、歩行者の有無又は被識別手段の有無に関係なく、常時振動を発するものである歩行者用通報装置。【００４３】  （９）振動を発生する通報手段が、歩行者の存在又は被識別手段の存在を検出したときに、振動を発するものである歩行者用通報装置。【００４４】  なお、本発明はこれらに記載したものに限定されず、その主旨に合致した全てのものを包含するものである。
【発明の効果】
【００４５】  以上説明したように本出願に係る発明によれば、音又は振動によって歩行者にその位置等に関する通報を確実に行うことができるため、特に盲人や弱視者にとって極めて有用である。
【図面の簡単な説明】
【図１】第１の実施形態に係るプラットホームの周囲を示す平面図である。
【図２】第１の実施形態に係るブロックの断面構造を示す図である。
【図３】第１の実施形態に係るブロックの周囲を模式的に示す側面図である。
【図４】第１の実施形態に係る電気装置のブロック図である。
【図５】第１の実施形態に係るフローチャートである。
【図６】第２の実施形態に係るブロックの周囲を模式的に示す側面図である。
【図７】第１の実施形態に係るブロックの周囲を模式的に示す側面図である。
【図８】第１の実施形態に係る靴及びブロックの断面構造を示す図である。
【符号の説明】
１                  ブロック
１ａ，１ｂ          ブロック列
１Ａ，１Ｂ          特定のブロック
１Ｃ                １Ａ及び１Ｂ以外のブロック
７                  路面
８，３８，          タグリーダ（識別手段）
９，５４            振動発生器（振動を発生する通報手段）
１０                プレート
１１                携帯物
１２、３２，４２    ＩＣタグ（被識別手段）
１４                スピーカ（音を発する通報手段）
２１                音発生器（音を発する通報手段）
４１                靴
【図１】
2005032205.tif 000003
【図２】
2005032205.tif 000004
【図３】
2005032205.tif 000005
【図４】
2005032205.tif 000006
【図５】
2005032205.tif 000007
【図６】
2005032205.tif 000008
【図７】
2005032205.tif 000009
【図８】
2005032205.tif 000010